(57)【要約】【課題】冷蔵室内を直接冷却する直冷式冷蔵庫において、冷却器近傍で空気内の水分が凝縮し、冷却器表面に水滴が付着し食品などに付着することを防止する。【解決手段】冷却器１３の冷媒流路１４を冷却器１３の少なくとも１つ以上の逆Ｖ字型の冷媒流路と、最下端部のＶ字型の冷媒流路とから構成するので、冷却器１３に露が付着しても逆Ｖ字型の溝に沿って庫内奥の角に集められ、下方向へと流れ、Ｖ字型の溝に沿ってドレン穴から庫外へと排水されるため、冷却プレートに付着した露が真下に流れることにより結合、成長し被冷却物に付着したり、使用者に不衛生な印象を与えることがない【選択図】図１
2005172308.tif 000002
【特許請求の範囲】
【請求項１】
冷却器と、被冷却物を収納する冷蔵室とを備え、前記冷却器は、前記冷蔵室の内箱の一部である冷却プレートと、冷却パイプとからなり、前記冷却プレートには、少なくとも１つ以上の逆Ｖ字型の溝と、最下端にＶ字型の溝を設け、前記Ｖ字型の溝の中心部と庫外とを連通するドレン穴を備えた冷蔵庫。
【請求項２】
冷却パイプを逆Ｖ字型の溝に沿うように設けた請求項１に記載の冷蔵庫。
【請求項３】
冷却器と、被冷却物を収納する冷蔵室とを備え、前記冷却器は、前記冷蔵室の内箱の一部を構成するロールボンド式の冷却器とし、前記冷却器の冷媒流路は、前記冷却器の少なくとも１つ以上の逆Ｖ字型の冷媒流路と、最下端部のＶ字型の冷媒流路とからなる冷蔵庫
【請求項４】
逆Ｖ字型の溝または冷媒流路及びＶ字型の溝または冷媒流路を撥水性材料とした請求項１から３のいずれか一項に記載の冷蔵庫。
【請求項５】
逆Ｖ字型の溝または冷媒流路及びＶ字型の溝または冷媒流路の水平からの角度を少なくとも５°以上とした請求項１から４のいずれか一項に記載の冷蔵庫。
【請求項６】
圧縮機と、凝縮器と、減圧手段と、冷却器とを環状に連結し、内部に冷媒を循環させる冷凍サイクルを備え、冷却パイプまたは冷媒流路内の冷媒の流れが上から下方向となるように冷却パイプまたは冷媒流路を構成した請求項１から５のいずれか一項に記載の冷蔵庫。
【請求項７】
冷却器の表面を抗菌性の材料とした請求項１から６のいずれか一項に記載の冷蔵庫。
【請求項８】
抗菌材料を酸化チタンとし、冷却プレートに波長３５０ｎｍ〜４００ｎｍの紫外線を照射するＵＶランプを備えた請求項７に記載の冷蔵庫。
【請求項９】
冷却器の溝または冷媒流路以外の酸化チタンを二酸化チタンとした請求項８に記載の冷蔵庫。
【発明の詳細な説明】
【技術分野】
【０００１】
本発明は、冷蔵庫に関し、直接冷却式の冷却器への結露防止に関するものである。
【背景技術】
【０００２】
近年、冷蔵庫業界では食物の保鮮に各社とも力を入れ、冷蔵庫内の高・恒湿化が進んでいる。
【０００３】
冷蔵庫の冷却方式には、冷却器で冷却した空気をファンにより庫内に循環させる間接冷却式と冷却器からの輻射と熱伝達で庫内を冷却する直接冷却式があり、庫内を高湿化するためには、庫内の被冷却物に風を当てない、直接冷却式が有利である。
【０００４】
従来の冷蔵庫としては、（特許文献１）に示す、冷蔵庫がある。
【０００５】
以下、図面を参照しながら上記従来の冷蔵庫を説明する。
【０００６】
図３は従来の冷蔵庫の縦断面図である。図３に示すように、従来の冷蔵庫は、圧縮機１と、凝縮器２と、減圧手段３と、冷却器４とを環状に連結し、内部に冷媒を循環せさる冷凍サイクル５と、被冷却物を収納する冷蔵室６とを備えている。
【０００７】
冷却器４は冷蔵室６の内箱７を構成する冷却プレート８と凝縮器２を出た冷媒が循環する冷却パイプ９とから構成されている。
【０００８】
また冷蔵室６内には冷却器４によって冷却された空気を庫内負荷が大きい時に冷蔵室６内に循環させる庫内ファン１０及びダクト１１を備えている。
【０００９】
以上のように構成された冷蔵庫について、以下その動作を説明する
圧縮機１で圧縮された高温、高圧のガス冷媒は、凝縮器２で冷却、凝縮され、キャピラリチューブなどの減圧手段３で減圧され低温、低圧の気液二層冷媒となり冷却器４へと流れる。
【００１０】
冷却器４へと流れ込んだ低圧の気液二層冷媒は、冷却プレート８と冷蔵室６内の空気の温度差により蒸発し、蒸発気化熱により周囲の空気を冷却する。
【００１１】
この時、冷蔵室６内は冷却器４により輻射冷却されるため、間接冷却式の場合のように被冷却物に直接冷却風が当たることはないので、被冷却物の乾燥を防ぎ、冷蔵室６内を高湿化することができる。
【００１２】
また、ドアの開閉などにより、冷蔵室６内の温度が上昇した時には、庫内ファン１０が運転することにより冷蔵室６内温度を素早く冷却する。
【特許文献１】特開２０００−２８２５７号公報
【発明の開示】
【発明が解決しようとする課題】
【００１３】
しかしながら、上記従来の冷蔵庫では、冷却プレート８が冷蔵室６内に露出しており、特に気候が高温多湿の日本においては、冷蔵室６内の空気中の水分が、約−２０℃と低温の冷却プレート８やダクト１１表面に凝縮、結露してしまう恐れがあった。
【００１４】
これにより、結露した水分が被冷却物に付着してしまったり、内箱７壁面に水滴が付着していることから使用者に不衛生な印象を与える恐れがあった。
【００１５】
本発明は上記従来の課題を解決するものであり、冷却プレート８に水滴が付着しても水滴を速やかに庫外へ排水することを目的とする。
【００１６】
また、上記従来の冷蔵庫では、冷却プレート８表面に水滴が付着する際に、冷蔵室６内に浮遊する菌も付着するため、冷却プレート８表面に菌が繁殖し、水垢などとなり冷却プレート８表面が不衛生になる恐れがあった。
【００１７】
本発明の他の目的は、冷却プレート８に菌が付着しても殺菌することにより菌を繁殖させないことである。
【課題を解決するための手段】
【００１８】
上記課題を解決するため、本発明の冷蔵庫は、冷却器と、被冷却物を収納する冷蔵室とを備え、冷却器は、冷蔵室の内箱の一部である冷却プレートと、冷却パイプとからなり、冷却プレートには、少なくとも１つ以上の逆Ｖ字型の溝と、最下端にＶ字型の溝を設け、Ｖ字型の溝の中心部と庫外とを連通するドレン穴を備えた構成としたので、冷却プレートに露が付着しても逆Ｖ字型の溝に沿って露が速やかに庫内奥の角に集められ、庫内奥の角に集められた露は下方向へと流れ、Ｖ字型の溝に沿ってドレン穴から庫外へと排水されるため、冷却プレートに付着した露が真下に落ちることにより結合、成長し被冷却物に付着したり、使用者に不衛生な印象を与えることがない。
【００１９】
また、冷却器と、被冷却物を収納する冷蔵室とを備え、冷却器は、冷蔵室の内箱の一部を構成するロールボンド式の冷却器とし、冷却器の冷媒流路は、冷却器の少なくとも１つ以上の逆Ｖ字型の冷媒流路と、最下端部のＶ字型の冷媒流路とから構成したので、冷却パイプと溝を別々に加工する必要が無く、冷却器をより低価格で構成できる。
【発明の効果】
【００２０】
本発明の冷蔵庫によれば、冷却器と、被冷却物を収納する冷蔵室とを備え、冷却器は、冷蔵室の内箱の一部である冷却プレートと、冷却パイプとからなり、冷却プレートには、少なくとも１つ以上の逆Ｖ字型の溝と、最下端にＶ字型の溝を設け、Ｖ字型の溝の中心部と庫外とを連通するドレン穴を備えたので、冷却プレートに露が付着しても速やかに庫外へ排出でき、露が成長し被冷却物に付着したり、使用者に不衛生な印象を与えることがなく、清潔感の高い冷蔵庫とすることができる。
【００２１】
また、冷却器と、被冷却物を収納する冷蔵室とを備え、冷却器は、冷蔵室の内箱の一部を構成するロールボンド式の冷却器とし、冷却器の冷媒流路は、冷却器の少なくとも１つ以上の逆Ｖ字型の冷媒流路と、最下端部のＶ字型の冷媒流路とから構成したので、溝と冷媒流路を兼用でき、より安価で冷却器を構成できるため、安価な冷蔵庫とすることができる。
【発明を実施するための最良の形態】
【００２２】
請求項１に記載の冷蔵庫の発明は、冷却器と、被冷却物を収納する冷蔵室とを備え、冷却器は、冷蔵室の内箱の一部である冷却プレートと、冷却パイプとからなり、冷却プレートには、少なくとも１つ以上の逆Ｖ字型の溝と、最下端にＶ字型の溝を設け、Ｖ字型の溝の中心部と庫外とを連通するドレン穴を備えた構成としたので、冷却プレートに露が付着しても逆Ｖ字型の溝に沿って露が速やかに庫内奥の角に集められ、庫内奥の角に集められた露は下方向へと流れ、Ｖ字型の溝に沿ってドレン穴から庫外へと排水されるため、冷却プレートに付着した露が真下に落ちることにより結合、成長し被冷却物に付着したり、使用者に不衛生な印象を与えることがない。
【００２３】
請求項２に記載の冷蔵庫の発明は、請求項１に記載の発明において、冷却パイプを逆Ｖ字型の溝に沿うように設けたので、露の付着しやすい冷却プレートの温度の低い冷却パイプの部分は逆Ｖ字型の溝の近傍となり、速やかに冷却プレートに付着した露を庫外に排出できる。
【００２４】
請求項３に記載の冷蔵庫の発明は、冷却器と、被冷却物を収納する冷蔵室とを備え、冷却器は、冷蔵室の内箱の一部を構成するロールボンド式の冷却器とし、冷却器の冷媒流路は、冷却器の少なくとも１つ以上の逆Ｖ字型の冷媒流路と、最下端部のＶ字型の冷媒流路とから構成したので、冷却パイプと溝を別々に加工する必要が無く、冷却器をより低価格で構成できる。
【００２５】
請求項４に記載の冷蔵庫の発明は、請求項１から３のいずれか一項に記載の発明において、逆Ｖ字型の溝または冷媒流路及びＶ字型の溝または冷媒流路を撥水性材料としたので、逆Ｖ字型の溝または冷媒流路を露が流れやすくなり、速やかに冷却プレートに付着した露を庫外に排出できる。
【００２６】
請求項５に記載の冷蔵庫の発明は、請求項１から４のいずれか一項に記載の発明において、逆Ｖ字型の溝または冷媒流路及びＶ字型の溝または冷媒流路の水平からの角度を少なくとも５°以上としたので、逆Ｖ字型の溝または冷媒流路を流れる露を確実に流すことができる。
【００２７】
請求項６に記載の冷蔵庫の発明は、請求項１から５のいずれか一項に記載の発明において、圧縮機と、凝縮器と、減圧手段と、冷却器とを環状に連結し、内部に冷媒を循環させる冷凍サイクルを備え、冷却パイプまたは冷媒流路内の冷媒の流れが上から下方向となるように冷却パイプまたは冷媒流路を構成したので、冷媒流路内の圧力減少による蒸発温度の低下により冷却器の温度は上よりも下の方が低くなり、冷却器の下の方により多くの露が付着することとなり、速やかに冷却器に付着した露を庫外に排出できる。
【００２８】
請求項７に記載の冷蔵庫の発明は、請求項１から６のいずれか一項に記載の発明において、冷却器の表面を抗菌性の材料としたので、冷却器表面に露と共に付着した菌を繁殖させることがなく、冷却器表面に水垢などが付着しない。
【００２９】
請求項８に記載の冷蔵庫の発明は、請求項７に記載の発明において、抗菌材料を酸化チタンとし、冷却プレートに波長３５０ｎｍ〜４００ｎｍの紫外線を照射するＵＶランプを備えたので、冷却器表面に露と共に付着した菌を死滅させることができ、冷却器表面に水垢などが付着せず、冷却器表面を衛生的に保つ。
【００３０】
請求項９に記載の冷蔵庫の発明は、請求項８に記載の発明において、冷却器の溝または冷媒流路以外の酸化チタンを二酸化チタンとしたので、冷却器の溝以外の部分は親水性となり、表面に露が付着しても水滴として現れにくくなり、使用者に不衛生な印象を与ることがない。
【００３１】
以下、本発明の実施の形態について、図面を参照しながら説明する。なお、従来と同一構成については、同一符号を付して詳細な説明を省略する。また、この実施の形態によってこの発明が限定されるものではない。
【００３２】
（実施の形態１）
図１は、本発明の実施の形態１による冷蔵庫の縦断面図である。図２は同実施の形態の冷却器の断面図である。
【００３３】
図１及び図２に示すように、冷凍サイクル１２は圧縮機１と、凝縮器２と、減圧手段３と、冷却器１３とから構成されている。
【００３４】
冷却器１３の逆Ｖ字型の冷媒流路及びＶ字型の冷媒流路１４は水平からの角度Ａが５°以上となっており、冷蔵室６内側表面が撥水性の材料により構成されているとともに、冷媒流路１４には酸化チタンが、冷媒流路１４以外には二酸化チタンがコーティングされている。
【００３５】
冷却器１３の冷蔵室６内側表面の最下端部にはＶ字型の溝１５が設けてある。
【００３６】
冷蔵室６内最下端部にはドレン穴１６が設けてあり、冷蔵室６内と外部を連通している。
【００３７】
また、冷蔵室６内にはランプ１７を備えており、冷却器１３に対して波長３５０ｎｍから４００ｎｍの紫外線を照射する。
【００３８】
以上のように構成された冷蔵庫について、以下その動作を説明する。
【００３９】
冷蔵庫運転中、圧縮機１で圧縮された高温、高圧のガス冷媒は、凝縮器２で冷却、凝縮され、キャピラリーチューブなどの減圧手段３で減圧され低温、低圧の気液二層冷媒となり冷却器１３へと流れる。
【００４０】
冷却器１３へと流れ込んだ低圧の気液二層冷媒は、冷却器１３と冷蔵室６内の空気の温度差により蒸発し、蒸発気化熱により周囲の空気を冷却する。
【００４１】
この時、冷蔵室６内の空気の相対湿度は温度の低い冷却器１３近傍で温度が低くなることにより高くなり、温度が露点温度を下回ると水分が凝縮し、冷却器１３表面に水滴として付着する。
【００４２】
ここで、冷却器１３表面は、冷媒流路１４が突出しており、その形状は逆Ｖ字型となっていることにより、冷却器１３表面に付着した水滴は、冷却器１３表面を伝い重力により冷媒流路１４まで落下すると、冷媒流路１４上端面に沿って冷蔵室６内奥の左右の角まで導かれる。
【００４３】
その後重力により冷蔵室奥の左右の角を落下した水滴はＶ字型の冷媒流路１４の位置で冷媒流路１４に沿って冷蔵室６内最下端のドレン穴１６まで導かれ、庫外へと排出される。
【００４４】
これにより、冷却器１３表面に付着した水滴は、冷蔵庫６内背面で落下する過程において他の水滴と結合し成長することはなく、速やかに冷蔵庫６内奥の左右の角に導かれる。
【００４５】
また、冷媒流路１４の冷蔵室６内側表面は撥水性材料で構成されているため、水滴は速やかに冷蔵庫６内奥の左右の角に導かれる。
【００４６】
また、筆者らの実験によれば、溝の角度が５°未満の時には水滴が流れにくくなり、冷却器１３表面で凍り、冷却器１３の冷却性能が悪くなる恐れがあった。しかしながら、本実施の形態においては、冷媒流路１４の水平からの角度は少なくとも５°以上となっているため、水滴は凍ることなく、速やかに冷蔵庫６内奥の左右の角に導かれる。
【００４７】
また、冷却器１３内で、冷媒は上から下に流れている。冷却器１３内では冷媒の流れに対して下流の方が圧力が低くなるため、冷媒の蒸発温度も低くなり、冷却器１３内で下の方が温度が低くなる。
【００４８】
これにより、冷却器１３に付着する水滴は、上よりも下の方が多くなり、ドレン穴１６の近くにより多くの水滴を集めることができ、水滴は速やかに冷蔵庫６内奥の左右の角に導かれる。
【００４９】
従って、冷蔵室６内背面で水滴が被冷却物に付着したり、大きな水滴が付着していることから使用者に不衛生な印象を与えることはなく、清潔感の高い冷蔵庫とすることができる。
【００５０】
また、冷却器１３表面の冷媒流路１４以外は酸化チタンでコーティングされており、ランプ１７により３５０ｎｍから４００ｎｍの紫外線が照射されている。酸化チタンに３５０ｎｍから４００ｎｍの紫外線を照射すると表面に付着した菌を殺菌、分解する強い抗菌作用がある。
【００５１】
これにより、冷却器１３に付着した水分と菌により水垢が発生するのを防止することができる。
【００５２】
また、冷却器１３の冷媒流路１４以外は二酸化チタンコーティングされており、ランプ１７により３５０ｎｍから４００ｎｍの紫外線が照射されている。二酸化チタンは抗菌作用があるだけではなく親水性の材料としても知られており、表面に水が凝縮しても水滴が付着することはない。
【００５３】
これにより、冷却器１３に付着した水分と菌により水垢が発生するのを防止するとともに、水滴が付着することも防止することができる。
【００５４】
従って、使用者に不衛生な印象を与えることがなく、冷蔵室６内を清潔に保つことができ、庫内が清潔な冷蔵庫とすることができる。
【００５５】
なお、本実施の形態においては、冷蔵室６しか持たない冷蔵庫について説明をしたが、被冷却物を冷凍する冷凍室を備えた冷凍冷蔵庫の冷蔵室においても同様の構成で同様の効果が得られる。
【００５６】
また、本実施の形態においては、圧縮機１で冷媒を圧縮、循環させる冷凍サイクル１２を用いた冷蔵庫について説明をしたが、低温の冷却器を持つ冷蔵庫、例えばペルチェ素子を用いてブラインを冷却器内に循環させる冷蔵庫などにおいても同様の効果が得られる。
【００５７】
また、溝１５を設けるのは冷却プレート８としたが、冷却プレート８の冷蔵室６内側に化粧板などを設けた場合は、その化粧板に溝６を設け表面をコーティングすることにより同様の効果が得られる。
【産業上の利用可能性】
【００５８】
以上のように、本発明にかかる冷蔵庫は、冷却プレートに露が付着しても速やかに庫外へ排出でき、露が成長し被冷却物に付着したり、使用者に不衛生な印象を与えることがなく、清潔感の高い冷蔵庫とすることができるので、直冷式の冷却器を備えた冷却機器に幅広く応用することができる。
【図面の簡単な説明】
【００５９】
【図１】本発明による冷蔵庫の実施の形態１の縦断面図
【図２】同実施の形態の冷却器の断面図
【図３】従来の冷蔵庫の縦断面図
【符号の説明】
【００６０】
１    圧縮機
２    凝縮器
３    減圧手段
６    冷蔵室
７    内箱
８    冷却プレート
９    冷却パイプ
１１    冷凍サイクル
１３    冷却器
１４    冷媒流路
１５    溝
１６    ドレン穴
１７    ランプ
【図１】
2005172308.tif 000003
【図２】
2005172308.tif 000004
【図３】
2005172308.tif 000005